(57)【要約】
【課題】比較的構造が簡単で、発光出力が大きく、既設の白色電球等の集魚灯に代えてそのまま使用できる使い勝手の良い低消費電力型の集魚灯を提供する。
【解決手段】電源部３０と、複数のＬＥＤ２６が搭載された配線基板２０と、循環ファン５１，５２及び冷却ファン６０からなる冷却部とが、防水ケース１０内に収納されている。外部からＡＣ電力が電源部３０に供給されると、この電源部３０から所定レベルのＤＣ電力が出力され、ＬＥＤ２６が点灯すると共に、冷却部が動作する。ＬＥＤ２６が点灯すると、このＬＥＤ光が防水ケース１０の透明のグローブ１２を通して外部に出射され、所定の色相及び輝度で一定方向が照射される。冷却部が動作すると、防水ケース１０内の空気が配線基板２０の表面側及び裏面側に循環し、加熱した配線基板２０及びＬＥＤ２６が冷却される。
【選択図】　　　図１
0003099741.tif 000002
【実用新案登録請求の範囲】
【請求項１】
　上部が光透過部で覆われた防水ケースと、
　前記防水ケース内に収納され、前記光透過部に対向して配置された配線基板と、
　前記防水ケース内に収納され、外部から供給される交流電力を所定レベルの直流電力に変換する電源部と、
　前記配線基板上に配設され、前記直流電力により点灯して前記光透過部を透して所定の色相及び輝度で一定方向を照射する複数の発光ダイオードと、
　前記防水ケース内に収納され、前記直流電力により動作して前記防水ケース内の空気を前記配線基板の表面側及び裏面側に循環させて前記配線基板及び前記複数の発光ダイオードを冷却する冷却部と、
　を備えたことを特徴とする集魚灯。
【請求項２】
　前記冷却部は、前記直流電力により回転して前記防水ケース内の空気を冷却する冷却ファンと、前記直流電力により回転して前記冷却ファンで冷却された空気を前記配線基板の表面側及び裏面側に循環させる循環ファンとで構成したことを特徴とする請求項１記載の集魚灯。
【請求項３】
　前記冷却部は、前記防水ケースの外気と接する箇所に設けられ、前記防水ケース内の加熱された空気の熱量を外部に放熱して冷却する放熱板と、前記直流電力により回転して前記放熱板で冷却された空気を前記配線基板の表面側及び裏面側に循環させるファンとで構成したことを特徴とする請求項１記載の集魚灯。
【請求項４】
　一端が閉塞されると共に他端に開口部を有し、且つ前記一端側に光透過部を有するほぼ筒状の防水ケースと、
　前記開口部に装着され、外部からの交流電力を入力する所定口径の口金と、
　前記防水ケース内の長手方向に配設された柱状又は筒状の支持部材と、
　前記防水ケース内に収納され、前記支持部材に対してほぼ直交する方向に所定間隔隔てて取り付けられた複数の配線基板と、
　前記防水ケースの内壁面と前記複数の配線基板の各周縁との間に形成された間隙部と、
　前記防水ケース内に収納され、外部から供給される交流電力を所定レベルの直流電力に変換する電源部と、
　前記各配線基板の周縁に所定間隔隔てて取り付けられ、前記直流電力により点灯して前記光透過部を透して所定の色相及び輝度で一定方向を照射する複数の発光ダイオードと、
　前記防水ケース内に収納され、前記直流電力により動作して前記防水ケース内の空気を前記間隙部に循環させて前記複数の配線基板及び前記複数の発光ダイオードを冷却する冷却部と、
　を備えたことを特徴とする集魚灯。
【請求項５】
　前記冷却部は、前記防水ケースの外気と接する箇所に設けられ、前記防水ケース内の加熱された空気の熱量を外部に放熱して冷却する放熱部と、前記直流電力により回転して前記放熱部で冷却された空気を前記間隙部に循環させるファンとで構成したことを特徴とする請求項４記載の集魚灯。
【請求項６】
　前記光透過部の内壁又は外壁には、光拡散用の粗面又は凹凸面を形成したことを特徴とする請求項１〜５のいずれか１項に記載の集魚灯。
【考案の詳細な説明】
【技術分野】
【０００１】
　本考案は、いか釣り漁、さんま棒受け漁、巻き網漁等の漁船等に搭載され、発光ダイオード（以下「ＬＥＤ」という。）で構成された船上集魚灯等の集魚灯に関するものである。
【背景技術】
【０００２】
　従来、集魚灯に関する技術としては、例えば、次のような文献に記載されるものがあった。
【特許文献１】特開２００２−１２４６２５号公報
【０００３】
　この特許文献１には、複数の青色ＬＥＤにより水中集魚灯又は船上集魚灯が構成され、この集魚灯から出射された青色光で水中を照らし、魚類を青色光の照射領域に誘致する技術が記載されている。
【０００４】
　ＬＥＤは、例えば、ＤＣ（直流）数Ｖの低電圧で発光し、ＤＣ電流は数１０ｍＡであり、輝度（明るさ）は１，０００〜２，０００ｃｄ／ｍ２と高いが、発光出力が小さく、耐熱温度も低い（例えば、５０℃程度）。発光色（色相）は、半導体材料により異なり、赤色、青色、緑色等がある。このようなＬＥＤで構成された集魚灯は、メタルハライド、ハロゲンランプ等の白色電球に比べて、発光出力が小さく、耐熱温度が低いという欠点があるものの、高信頼性・長寿命、機械的強度が大きい、小型である、低電圧で発光する、電力消費量が少ない、動作速度が速い、指向性がある等の利点がある。
【０００５】
　近年、例えば、いか釣り漁船等において、発光出力の大きな白色電球を用いた船上集魚灯は、低消費電力や光害（公害）等の見地から光出力規制（例えば、小型船や中型船で上限１８０ＫＷ）が行われ、ＬＥＤを用いた船上集魚灯が有望視されている。特に、特許文献１では、青色ＬＥＤとして、例えば、波長が４５０ｎｍ（ナノメートル）付近に発光強度をもつ青色の単色光を高輝度で発光するＧａＮ（窒化ガリウム）を主成分とする半導体発光素子を集魚灯に使用すると、魚類を青色光の照射領域に誘き寄せる効果（誘致効果）が大きいことが記載されている。
【考案の開示】
【考案が解決しようとする課題】
【０００６】
　しかしながら、従来の集魚灯では、次のような課題があった。
【０００７】
　ＬＥＤを用いた集魚灯は、発光出力が小さいので、発光出力を大きくするためには、多数のＬＥＤを搭載しなければならない。特に、水中や船上で使用する集魚灯は、海水や雨滴等による錆、波による振動等の悪影響を受けるため、多数のＬＥＤを防水ケース内に収納して保護することが必要となる。ところが、多数のＬＥＤを防水ケース内に収納すると、ＬＥＤ等から発生する熱により防水ケース内が高温になり、該ＬＥＤが熱的ダメージをうけて破損する虞がある。
【０００８】
　又、メタルハライド、ハロゲンランプ等の白色電球の定格電圧は、ＡＣ（交流）１００Ｖ（製品によっては１３０Ｖ等があるが、説明を簡単にするために以下単に「１００Ｖ」という。）、２００Ｖ（製品によっては２３０Ｖ等があるが、説明を簡単にするために以下単に「２００Ｖ」という。）等であるが、ＬＥＤの定格電圧は数ＶのＤＣ電圧である。そのため、既設の白色電球の集魚灯に代えて、ＬＥＤの集魚灯を使用する場合には、ＡＣ電源装置から出力されるＡＣ１００Ｖ又はＡＣ２００Ｖを数ＶのＤＣ電圧に変換するためのＤＣ電源装置を必要とするので、不利不便である。
【０００９】
　本考案は、前記従来技術が持っていた課題を解決し、比較的構造が簡単で、発光出力が大きく、既設の白色電球等の集魚灯に代えてそのまま使用できる使い勝手の良い低消費電力型の集魚灯を提供することを目的とする。
【課題を解決するための手段】
【００１０】
　前記課題を解決するために、本考案の内の請求項１に係る考案の集魚灯では、上部が光透過部で覆われた防水ケースと、前記防水ケース内に収納され、前記光透過部に対向して配置された配線基板と、前記防水ケース内に収納され、外部から供給されるＡＣ電力を所定レベルのＤＣ電力に変換する電源部と、前記配線基板上に配設され、前記ＤＣ電力により点灯して前記光透過部を透して所定の色相及び輝度で一定方向を照射する複数のＬＥＤと、前記防水ケース内に収納され、前記ＤＣ電力により動作して前記防水ケース内の空気を前記配線基板の表面側及び裏面側に循環させて前記配線基板及び前記複数のＬＥＤを冷却する冷却部とを備えている。
【００１１】
　請求項２に係る考案では、請求項１の集魚灯において、前記冷却部は、前記ＤＣ電力により回転して前記防水ケース内の空気を冷却する冷却ファンと、前記ＤＣ電力により回転して前記冷却ファンで冷却された空気を前記配線基板の表面側及び裏面側に循環させる循環ファンとで構成している。
【００１２】
　請求項３に係る考案では、請求項１の集魚灯において、前記冷却部は、前記防水ケースの外気と接する箇所に設けられ、前記防水ケース内の加熱された空気の熱量を外部に放熱して冷却する放熱板と、前記ＤＣ電力により回転して前記放熱板で冷却された空気を前記配線基板の表面側及び裏面側に循環させるファンとで構成している。
【００１３】
　請求項４に係る考案の集魚灯では、一端が閉塞されると共に他端に開口部を有し、且つ前記一端側に光透過部を有するほぼ筒状の防水ケースと、前記開口部に装着され、外部からのＡＣ電力を入力する所定口径の口金と、前記防水ケース内の長手方向に配設された柱状又は筒状の支持部材と、前記防水ケース内に収納され、前記支持部材に対してほぼ直交する方向に所定間隔隔てて取り付けられた複数の配線基板と、前記防水ケースの内壁面と前記複数の配線基板の各周縁との間に形成された間隙部と、前記防水ケース内に収納され、外部から供給されるＡＣ電力を所定レベルのＤＣ電力に変換する電源部と、前記各配線基板の周縁に所定間隔隔てて取り付けられ、前記ＤＣ電力により点灯して前記光透過部を透して所定の色相及び輝度で一定方向を照射する複数のＬＥＤと、前記防水ケース内に収納され、前記ＤＣ電力により動作して前記防水ケース内の空気を前記間隙部に循環させて前記複数の配線基板及び前記複数のＬＥＤを冷却する冷却部とを備えている。
【００１４】
　請求項５に係る考案では、請求項４の集魚灯において、前記冷却部は、前記防水ケースの外気と接する箇所に設けられ、前記防水ケース内の加熱された空気の熱量を外部に放熱して冷却する放熱部と、前記ＤＣ電力により回転して前記放熱部で冷却された空気を前記間隙部に循環させるファンとで構成している。
【００１５】
　請求項６に係る考案では、請求項１〜５のいずれかの集魚灯において、前記光透過部の内壁又は外壁には、光拡散用の粗面又は凹凸面を形成している。
【考案の効果】
【００１６】
　請求項１〜３に係る考案によれば、次の（１）〜（４）のような効果がある。
【００１７】
（１）　例えば、集魚灯を船上に搭載し、該集魚灯から出射される指向性のあるＬＥＤ光を、所定の仰角で斜め上から水面へ照射すれば、低消費電力で効率良く水中を照らすことができる。
【００１８】
（２）　集魚灯は、多数のＬＥＤを用いて構成しているので、白色電球等を用いるよりも、小型、軽量化し易く、しかも防水構造が比較的簡単に実現できる。そのため、海水や雨滴等による内部の錆や、波の振動等による電気回路の故障を防止できる。
【００１９】
（３）　防水ケース内に設けた冷却部により、該防水ケース内の空気を配線基板の裏面側及び表面側に循環させて内部を冷却する構造にしたので、加熱されたＬＥＤ及び配線基板を効率良く冷却することができる。そのため、熱的ダメージによるＬＥＤの破損を防止できる。
【００２０】
（４）　集魚灯内部にＡＣ／ＤＣ変換用の電源部を設けているので、通常のＡＣ１００Ｖ又はＡＣ２００Ｖ等の電源を使用できる。そのため、既設の白色電球等の集魚灯に代えて、簡単に使用できるので、使い勝手が良い。
【００２１】
　請求項４、５に係る考案によれば、請求項１〜３の効果（１）及び（２）とほぼ同様の効果がある。更に、次の（ａ）及び（ｂ）のような効果がある。
【００２２】
（ａ）　防水ケース内に設けた冷却部により、該防水ケース内の空気を間隙部に循環させて内部を冷却する構造にしたので、加熱されたＬＥＤ及び配線基板を効率良く冷却することができる。そのため、熱的ダメージによるＬＥＤの破損を防止できる。
【００２３】
（ｂ）　集魚灯内部にＡＣ／ＤＣ変換用の電源部を設けているので、通常のＡＣ１００Ｖ又はＡＣ２００Ｖ等の電源を使用できる。そのため、既設の白色電球等の灯具に挿着するだけで、簡単に使用でき、使い勝手が良い。
【００２４】
　請求項６に係る考案によれば、光透過部の内壁又は外壁に、光拡散用の粗面又は凹凸面を形成したので、多数のＬＥＤから出射される光をその粗面又は凹凸面で拡散でき、光束密度の均一化や照射範囲の拡大等が図れる。
【考案を実施するための最良の形態】
【００２５】
　電源部と、複数のＬＥＤが搭載された配線基板と、冷却部とが防水ケース内に収納されている。外部からＡＣ電力が電源部に供給されると、この電源部から所定レベルのＤＣ電力が出力され、ＬＥＤが点灯すると共に、冷却部が動作する。ＬＥＤが点灯すると、このＬＥＤ光が防水ケースの光透過部を通して外部に出射され、所定の色相及び輝度で一定方向が照射される。冷却部が動作すると、防水ケース内の空気が配線基板の表面側及び裏面側に循環し、加熱した配線基板及びＬＥＤが冷却される。
【実施例１】
【００２６】
（構成）
　図１（Ａ）〜（Ｄ）は本考案の実施例１を示すパネル型船上集魚灯の概略の構成図であり、同図（Ａ）は平面図、同図（Ｂ）は正面図、同図（Ｃ）は同図（Ｂ）に対応する断面図、及び同図（Ｄ）は左側面図である。
【００２７】
　このパネル型船上集魚灯は、集魚灯本体を収納する防水ケース１０を有している。防水ケース１０は、上部に開口部１１ａを有する金属製のケース本体１１と、その開口部１１ａを開閉可能に閉塞する光透過部（例えば、透明樹脂製のグローブ）１２とで構成されている。グローブ１２は、凹状のグローブ本体１２ａを有し、このグローブ本体１２ａの開口部周縁にフランジ１２ｂが形成されている。グローブ１２のフランジ１２ｂは、パッキン１３を介してケース本体１１の開口部１１ａに載置され、防水枠１４によって該開口部１１ａに固定されるようになっている。防水枠１４は、グローブ本体１２ａに嵌合してこのフランジ１２ｂを係止するものであり、外周の複数箇所にフォーク状の突出部１４ａがそれぞれ形成されている。
【００２８】
　ケース本体１１の外側面の複数箇所には、固定用ボルト１５の一端がそれぞれ回転自在に固定され、これらのボルト１５の他端にナット１６がそれぞれ螺着されている。ボルト１５を防水枠１４の突出部１４ａに嵌入し、このボルト１５に螺着したナット１６で該突出部１４ａを押圧することにより、該防水枠１４を介してグローブ１２が防水状態で開口部１１ａに固定される。ケース本体１１の側面には、防水構造のケーブル挿入孔１７が設けられ、更に、ケース本体１１の外側面から底面側にかけて複数のコ字状取付部材１８が固着されている。これらの取付部材１８には、それぞれ取付孔１８ａが形成され、これらの取付孔１８ａにボルト等を挿入して該集魚灯を船上等に固定するようになっている。
【００２９】
　ケース本体１１の開口部１１ａ側には、１枚又は複数枚からなる矩形の配線基板２０が収納され、この配線基板２０が支持部材等により支持されて固定されている。配線基板２０は、裏面側の所定箇所に配線パターンが形成され、この両端付近に所定の口径の空気循環用の開口部２１，２２が形成されると共に、中央付近にも空気循環用の開口部２３が形成されている。配線基板２０の表面側において、一端側の開口部２１と中央付近の開口部２３との間、更に他端側の開口部２２と中央付近の開口部２３との間には、グローブ１２の方向に多数（例えば、数百個或いは数千個）のＬＥＤ２６がマトリクス状に取り付けられている。配線基板２０の裏面側の１箇所又は複数箇所には、電源部３０が取り付けられている。電源部３０は、ケーブル挿入孔１７に挿入されたケーブル３１を介して、外部から供給されるＡＣ電力を所定レベルのＤＣ電力に変換し、ＬＥＤ２６等に供給する回路である。
【００３０】
　配線基板２０の裏面側の開口部２１，２２付近には、循環ファン５１，５２が取り付けられている。更に、配線基板２０の開口部２３に対向するケース本体１１の底面側には、防水型の冷却ファン６０が取り付けられている。これらの循環ファン５１，５２及び冷却ファン６０により、防水ケース１０内を冷却する冷却部が構成されている。循環ファン５１，５２は、電源部３０から供給されるＤＣ電力により回転し、防水ケース１０内の空気を配線基板２０の表面側及び裏面側に循環させて該配線基板２０及びＬＥＤ２６等を冷却する装置である。
【００３１】
　冷却ファン６０は、例えば、ケース本体１１の底面に形成された開口部を密閉する凹凸形状の放熱用の金属製隔壁６１と、この隔壁６１の外側に形成された放熱側風路６２と、隔壁６１の内側に形成された吸熱側風路６３と、放熱側風路６２に装着された放熱ファン６４と、吸熱側風路６３に装着された吸熱ファン６５と、電源部３０から供給されるＤＣ電力により動作して放熱ファン６４及び吸熱ファン６５を回転する図示しないモータとで構成されている。この冷却ファン６０では、図示しないモータにより放熱ファン６４及び吸熱ファン６５が回転すると、外部の冷たい空気が放熱側風路６２に取り込まれて隔壁６１が冷却されると共に、加熱された内部の空気が吸熱側風路６３に取り込まれて隔壁６１で冷却され、該吸熱側風路６３から放出される。放出された冷たい空気は、循環ファン５１，５２により配線基板２０の表面側及び裏面側に循環して該配線基板２０及びＬＥＤ２６等を冷却する構造になっている。
【００３２】
　図２は、図１のＬＥＤ２６を示す概略の拡大構成図である。
【００３３】
　配線基板２０には、多数（例えば、数百個或いは数千個）の対になったリード挿入孔２４，２５がマトリクス状に形成され、これらの各対のリード挿入孔２４，２５にＬＥＤ２６がそれぞれ取り付けられている。各ＬＥＤ２６は、例えば、発光体であるｐｎ接合からなる半導体チップ２６ａを有し、この半導体チップ２６ａがステム２６ｂ等に搭載され、該半導体チップ２６ａが光透過性の樹脂２６ｃでレンズ状に被われ、ステム２６ｂ等から２本の外部リード２６ｄ，２６ｅが突出している。２本の外部リード２６ｄ，２６ｅは、配線基板２０の表面側からリード挿入孔２４，２５に挿入され、半田２７等で配線基板２０の裏面の配線パターンに接続されている。ＬＥＤ２６は、ＤＣ数Ｖの低電圧で発光するが、この発光色（即ち、色相）は半導体材料により異なり、赤色（ＧａＡｓ）、緑色（ＧａＰ）、青色（ＧａＮ）、透明色、天然色等がある。
【００３４】
　図３は、図１の電源部３０を示す概略の構成図である。
【００３５】
　この電源部３０は、ケーブル３１から供給されるＡＣ１００Ｖ又はＡＣ２００Ｖの電源電圧を入力する変圧回路３２を有している。変圧回路３２は、変圧器等で構成され、入力されるＡＣ１００Ｖ又はＡＣ２００Ｖを数ＶのＡＣ電圧に降圧する回路であり、この出力側に整流回路３３が接続されている。整流回路３３は、ダイオード等で構成され、変圧回路３２のＡＣ出力電圧をＤＣ電圧に変換する回路であり、この出力側に安定化回路３４が接続されている。安定化回路３４は、集積回路（以下「ＩＣ」という。）等で構成され、負荷側の消費電流の変動にかかわらず、この負荷側へ供給する出力電圧の変動を抑制して一定の電圧を出力する回路であり、この出力側にスイッチング回路３５、循環ファン５１，５２を駆動するファン駆動回路３８、及び冷却ファン６０を駆動するファン駆動回路３９が接続されている。
【００３６】
　スイッチング回路３５は、例えば、トランジスタや、時定数調整用の可変抵抗３６及びコンデンサ３７等で構成され、安定化回路３４の出力電流を間欠的に断続してパルス電流を生成し、このパルス電流のオン状態の幅（オンデューティ）を輝度調整スイッチ（例えば、可変抵抗３６）で可変する調光制御機能を有している。遠隔制御によって輝度調整を行う場合は、例えば、輝度調整スイッチである可変抵抗３６に代えて、オン抵抗値の可変可能なトランジスタを設けたり、或いは固定容量値のコンデンサ３７に代えて、可変容量素子を設け、これらのトランジスタ或いは可変容量素子を、ケーブル挿入孔１７に通した信号線により制御する構成にすれば良い。
【００３７】
　スイッチング回路３５の出力側には、複数のＬＥＤ駆動回路４０−１，４０−２，４０−３，４０−４，・・・が接続されている。各ＬＥＤ駆動回路４０−１，・・・の出力側には、配線基板２０に搭載されたＬＥＤ２６及び過電流防止用抵抗２８からなる直列回路が、多数並列に接続されている。各ＬＥＤ駆動回路４０−１，・・・は、スイッチング回路３５から与えられるパルス電流に基づいて多数のＬＥＤ２６に駆動電流を供給する回路であり、ＩＣ等で構成されている。
（動作）
【００３８】
　例えば、いか釣り漁、さんま棒受け漁、巻き網漁等の漁船に、図１の船上集魚灯を搭載する場合の動作を説明する。
【００３９】
　漁船の甲板上において、図１の船上集魚灯を複数灯、グローブ１２が水面に対して所定の仰角に位置するように取り付ける。外部からケーブル３１を介してＡＣ１００Ｖ又はＡＣ２００Ｖの電圧を船上集魚灯へ供給すると、この入力電圧が図３の変圧回路３２で数ＶのＡＣ電圧に降圧される。このＡＣ電圧は、整流回路３３でＤＣ電圧に変換され、安定化回路３４で一定電圧に保持される。安定化回路３４の出力電流は、スイッチング回路３５により所望のオンデューティのパルス電流に変換され、ＬＥＤ駆動回路４０−１，・・・へ供給される。このＬＥＤ駆動回路４０−１，・・・の出力電流により、全ＬＥＤ２６が青色発光、緑色発光又は透明色発光し、この指向性を有するＬＥＤ光が、グローブ１２を透して出射される。出射光の輝度は、気象状況、水面の波や濁り等に応じて、スイッチング回路３５に設けられた可変抵抗３６により調節するか、或いは信号線を介して外部から遠隔調節すれば良い。
【００４０】
　甲板上に取り付けられた複数灯の集魚灯は、水面に対して所定の仰角に位置しているので、これらの集魚灯の出射光より、斜め上から漁船近傍に水面が照射される。例えば、水面に照射される青色又は緑色のＬＥＤ光は、指向性があって鋭い直進性を有する他に、特に水中透過率が大きいので、斜め上方向から水中の深くまで照射される。これにより、漁船近傍に魚類を集めて効率良く捕獲できる。
【００４１】
　集魚灯が点灯すると、多数のＬＥＤ２６及び電源部３０等が発熱し、防水ケース１０内の温度が上昇する。これを冷却するために、集魚灯の点灯中は、安定化回路３４の出力電流によりファン駆動回路３８，３９が動作し、循環ファン５１，５２が回転すると共に、冷却ファン６０が駆動される。冷却ファン６０が駆動されると、図示しないモータによって放熱ファン６４及び吸熱ファン６５が回転する。放熱ファン６４の回転により、外気の冷たい空気が放熱側風路６２に取り込まれて放熱用隔壁６１が冷却された後、暖められた空気が放熱風路６２から放出される。更に、吸熱ファン６５の回転により、防水ケース１０内の加熱された空気が吸熱側風路６３に取り込まれて放熱用隔壁６１で冷却された後、吸熱側風路６３から放出される。
【００４２】
　吸熱側風路６３から放出された冷たい空気は、配線基板２０の裏面側を流れ、循環ファン５１，５２により配線基板２０の開口部２１，２２を介して該配線基板２０の表面側へ送られる。この表面側の空気は、配線基板２０の中央付近の開口部２３を通り、裏面側の放熱ファン６５により吸熱側風路６３に取り込まれる。このように、防水ケース１０内の加熱された空気が冷却ファン６０で冷却され、循環ファン５１，５２によって配線基板２０の裏面側及び表面側を循環するので、加熱したＬＥＤ２６、配線基板２０及び電源部３０等が効率良く冷却される。これにより、熱的ダメージによるＬＥＤ２６の破損を防止できる。
【００４３】
　又、保守、点検等を行う場合、ナット１６を緩めてボルト１５を防水枠１４の突出部１４ａから外せば、該防水枠１４の固定が解除される。防水枠１４をグローブ１２から外し、このグローブ１２をケース本体１１から外し、配線基板２０をケース本体１１から取り出せば、集魚灯内部の保守、点検等が可能になる。
（効果）
【００４４】
　この実施例１では、次の（１）〜（４）のような効果がある。
【００４５】
（１）　船上集魚灯から出射される指向性のある青色、緑色又は透明色のＬＥＤ光を、所定の仰角で斜め上から水面へ照射すれば、低消費電力で効率良く水中を照らすことができる。
【００４６】
（２）　集魚灯は、多数のＬＥＤ２６を用いて構成しているので、白色電球等を用いるよりも、小型、軽量化し易く、しかも防水構造が比較的簡単に実現できる。そのため、海水や雨滴等による内部の錆や、波の振動等による電気回路の故障を防止できる。
【００４７】
（３）　防水構造の冷却ファン６０により防水ケース１０内の加熱空気を冷やし、この空気を循環ファン５１，５２により配線基板２０の裏面側及び表面側を循環させる構造にしたので、加熱されたＬＥＤ２６、配線基板２０及び電源部３０等を効率良く冷却することができる。そのため、熱的ダメージによるＬＥＤ２６の破損を防止できる。
【００４８】
（４）　集魚灯内部にＡＣ／ＤＣ変換用の電源部３０を設けているので、通常のＡＣ１００Ｖ又はＡＣ２００Ｖ等の電源を使用できる。そのため、既設の白色電球等の集魚灯に代えて、簡単に使用できるので、使い勝手が良い。
【実施例２】
【００４９】
（構成）
　図４は、本考案の実施例２を示すパネル型船上集魚灯の概略の構成図であり、実施例１を示す図１中の要素と共通の要素には共通の符号が付されている。
【００５０】
　このパネル型船上集魚灯では、図１の防水ケース１０と異なる形状の防水ケース１０Ａを有し、この防水ケース１０Ａ内に、図１の循環ファン５１，５２及び冷却ファン６０からなる冷却部とは異なる構成の冷却部が設けられている。
【００５１】
　防水ケース１０Ａは、上部の開口部１１ａを有する樹脂製等のケース本体１１Ａと、その開口部１１ａをパッキン１３を介して閉塞する光透過部（例えば、板状の透明樹脂製グローブ）１２Ａとで構成されている。ケース本体１１Ａの底面は、凹凸等が形成された金属製の放熱板６６により閉塞されている。ケース本体１１Ａの外側面には、ケーブル挿入孔１７が設けられている。又、図１の防水枠１４を取り付けるための固定用ボルト１５及びナット１６は、必要に応じてケース本体１１Ａの外側面に取り付けられる。
【００５２】
　ケース本体１１Ａの内壁面には支持部１１ｂが突設され、この支持部１１ｂ上に、１枚又は複数枚からなる矩形の配線基板２０Ａが螺子等で固定されている。配線基板２０Ａは、裏面側の所定箇所に配線パターンが形成され、この両端付近に開口部２１，２２が形成されている。配線基板２０Ａの表面側における両端の開口部２１，２２間には、図１と同様に、多数のＬＥＤ２６がマトリクス状に取り付けられている。配線基板２０Ａの裏面側の１箇所又は複数箇所には、図１と同様に、電源部３０が取り付けられている。更に、配線基板２０Ａの開口部２１，２２に、循環ファン５１，５２がそれぞれ取り付けられている。この循環ファン５１，５２及び放熱板６６により、冷却部が構成されている。
（動作）
【００５３】
　この船上集魚灯では、図１と同様に、外部からケーブル３１を介してＡＣ１００Ｖ又はＡＣ２００Ｖの電圧が電源部３０に供給されると、この電源部３０の出力により、全ＬＥＤ２６が発光すると共に循環ファン５１，５２が回転する。循環ファン５１，５２が回転すると、放熱板６６で冷却された空気が、配線基板２０Ａの裏面側及び表面側を循環し、加熱したＬＥＤ２６、配線基板２０及び電源部３０等が効率良く冷却される。
（効果）
【００５４】
　この実施例２では、実施例１とほぼ同様の効果がある。更に、実施例１に比べて、循環ファン５１，５２及び放熱板６６からなる冷却部の構造が簡単であるので、より小型化及び軽量化が図れる。
【実施例３】
【００５５】
（構成）
　図５は本考案の実施例３を示すランプ型船上集魚灯の概略の正面図、図６は図５の縦断面図、及び図７（Ａ）〜（Ｄ）は図６の配線基板の平面図である。
【００５６】
　このランプ型船上集魚灯は、集魚灯本体を収納する防水ケース７０を有している。防水ケース７０は、円筒状の光透過部（例えば、透明樹脂製のバルブ）７１と、このバルブ７１に装着された放熱部（例えば、キャップ）７２とで構成されている。円筒状のバルブ７１の一端開口部は、透明樹脂製の蓋部材７１ａにより閉塞され、このバルブ７１の他端開口部７１ｂに、キャップ７２の一端が固着されている。キャップ７２は、例えば、放熱機能を持たせるために金属で形成され、このキャップ７２の他端の口径が小さくなった開口部７２ａに、所定口径（例えば、Ｅ３９）のねじ込み型口金７３が装着されている。ねじ込み型口金７３は、キャップ７２の開口部７２ａに固着された−側電極（例えば、金属製の螺子部）７３ａを有し、この螺子部７３ａ内の中心に、セメント７３ｂによって＋側電極７３ｃが固定されている。
【００５７】
　バルブ７１内の軸方向には、２本の柱状の支持部材８１，８２が並行に配置され、この支持部材８１，８２に対して直交する方向に上段から下段にかけて、大形円盤状の電気部品搭載用の配線基板８３、及び小形円盤状の電気部品搭載用の配線基板８４−１〜８４−４が所定間隔隔てて取り付けられている。支持部材８１，８２の上端に螺子で固定された大形円盤状の配線基板８３は、バルブ７１の開口部７１ｂの口径とほぼ同一の大きさであり、その開口部７１ｂを閉塞するように固定されている。配線基板８３の下段に取り付けられた小形円盤状の配線基板８４−１〜８４−４は、バルブ７１の口径よりも小さく、該配線基板８４−１〜８４−４の周縁とバルブ７１の内壁面との間に、風路用の間隙部８７が形成されている。支持部材８１，８２の下端は、蓋部材７１ａに形成された凹部に嵌着されて固定されている。
【００５８】
　各配線基板８３−１，８４−１〜８４−４の間には、バルブ７１の口径よりも小さな中形円盤状のＬＥＤ搭載用の配線基板８５−１〜８５−４が、螺子等で支持部材８１，８２にそれぞれ取り付けられ、更に、それらの各配線基板８５−１〜８５−４の下に、該配線基板８５−１〜８５−４よりも口径の小さな小形円盤状のＬＥＤ搭載用の配線基板８６−１〜８６−４が、螺子等で支持部材８１，８２にそれぞれ取り付けられている。各配線基板８５−１，８６−１〜８５−４，８６−４の周縁とバルブ７１の内壁面との間にも、風路用の間隙部８７が形成されている。
【００５９】
　上段の配線基板８３の対向する箇所には、一対の空気循環用の円形開口部８３ａ，８３ｂが形成され、この一方の開口部８３ａの表面側に空気循環用のファン８８が取り付けられ、更に、このファン８８を駆動するためのＤＣ電圧を供給する電源部８９が該配線基板８３の表面に搭載されている。各配線基板８４−１〜８４−４の中央には、リード線引き回し用の円形開口部８４ａがそれぞれ形成され、更に、ＬＥＤ駆動用のＤＣ電圧を供給するための各電源部９０−１〜９０−４が各配線基板８４−１〜８４−４の表面に搭載されている。各配線基板８５−１〜８５−４の中央には、リード線引き回し用の円形開口部８５ａが形成されている。更に、各配線基板８５−１〜８５−４の裏面周縁には、図１のＬＥＤ２６と同様のＬＥＤ９１が下方向に向けて所定間隔で多数（例えば、数十個）取り付けられている。同様に、各配線基板８６−１〜８６−４の中央には、リード線引き回し用の円形開口部８６ａが形成され、更に、各配線基板８６−１〜８６−４の裏面周縁に、図１のＬＥＤ２６と同様のＬＥＤ９１が下方向に向けて所定間隔で多数（例えば、数十個）取り付けられている。
【００６０】
　口金７３の電極７３ｃ及び螺子部７３ａは、リード線９２，９３により各配線基板８３，８４−１〜８４−４，８５−１〜８５−４，８６−１〜８６−４に接続されている。各配線基板８４−１〜８４−４，８５−１〜８５−４，８６−１〜８６−４間を接続するリード線９２，９３は、それらの各配線基板８４−１〜８４−４，８５−１〜８５−４，８６−１〜８６−４に形成された開口部８４ａ，８５ａ，８６ａを通して引き回されている。各段の配線基板８４−１〜８４−４の周りは、必要に応じて遮蔽筒９４で覆われ、電源部９０−１〜９０−４が外部から見えないようになっている。
【００６１】
　図８は、図６の電源部８９，９０−１〜９０−４の構成例を示す回路図である。
【００６２】
　口金７３の＋側電極７３ｃと−側電極である螺子部７３ａとには、リード線９２，９３を介して、ファン駆動用の電源部８９とＬＥＤ駆動用の電源部９０−１〜９０−４とが並列に接続されている。
【００６３】
　ファン駆動用の電源部８９は、外部から＋側電極７３ｃ及び螺子部７３ａに供給されるＡＣ１００Ｖ又はＡＣ２００Ｖを変圧器１０１で降圧し、このＡＣ低電圧をブリッジダイオードからなる整流器１０２でＤＣ電圧に整流する。整流器１０２のＤＣ出力電圧は、放電抵抗１０３を介して、電解コンデンサ１０４で平滑する。放電抵抗１０３は、ブリッジダイオードの蓄積電荷を放電するものである。電解コンデンサ１０４で平滑したＤＣ電圧は、ファン８８に印加して該ファン８８を回転させる構成になっている。
【００６４】
　各ＬＥＤ駆動用の電源部９０−１〜９０−４は、＋側電極７３ｃ及び螺子部７３ａに供給されるＡＣ１００Ｖ又はＡＣ２００Ｖを、並列接続された入力コンデンサ１１１及び放電抵抗１１２を介して、ブリッジダイオードからなる整流器１１２でＤＣ電圧に整流する。入力コンデンサ１１１の容量値で、駆動するＬＥＤ９１の電流値を決める。放電抵抗１１２は、電源ノイズからブリッジダイオードを保護するものである。整流器１１３のＤＣ出力電圧は、放電抵抗１１４を介して、抵抗１１５及びコンデンサ１１６により平滑する。放電抵抗１１４は、ブリッジダイオードの蓄積電荷を放電するものである。抵抗１１５及びコンデンサ１１６により平滑したＤＣ電圧は、ＬＥＤ直流電流測定用の抵抗１１７を介して、多数個（例えば、数十個）直列に接続されたＬＥＤ９１に印可して発光させる構成になっている。平滑用の抵抗１１５及びコンデンサ１１６は、電源ノイズからＬＥＤ９１を保護するものである。
（動作）
【００６５】
　漁船上に吊り下げた灯具の螺子部に、本実施例３の集魚灯の口金７３を螺着し、該集魚灯を水面に向けて吊り下げる。集魚灯にＡＣ１００Ｖ又はＡＣ２００Ｖを供給すると、ファン駆動用の電源部８９及びＬＥＤ駆動用の電源部９０−１〜９０−４が動作し、ファン８８が回転すると共に、全ＬＥＤ９１が青色発光、緑色発光又は透明色発光し、この光がバルブ７１を透して下方向へ出射され、水面が照射される。例えば、水面に照射される青色又は緑色のＬＥＤ光は、指向性があって鋭い直進性を有する他に、特に水中透過率が大きいので、水中の深くまで照射される。これにより、漁船近傍に魚類を集めて効率良く捕獲できる。
【００６６】
　集魚灯の点灯時に、ファン駆動用の電源部９０−１〜９０−４によりファン８８が回転するので、図６において、キャップ７２で冷却された空気が、ファン８８→配線基板８３の右側の開口部８３ａ→バルブ７１の内壁面と配線基板８５−１，８６−１〜８５−４，８６−４との間の右側の間隙部８７→下段の配線基板８６−４と蓋部材７１ａの内壁面との間の間隙部９５→バルブ７１の内壁面と配線基板８５−１，８６−１〜８５−４，８６−４との間の左側の間隙部８７→配線基板８３の左側の開口部８３ｂ→キャップ７２、という風路で循環する。これにより、加熱した全ＬＥＤ９１、配線基板８３，８４−１，８５−１，８６−１〜８４−４，８５−４，８６−４、及び電源部８９，９０−１〜９０−４が効率良く冷却され、熱的ダメージによるＬＥＤ９１の破壊を防止できる。
（効果）
【００６７】
　この実施例３では、次の（１）〜（４）のような効果がある。
【００６８】
（１）　船上の集魚灯から出射される指向性のある青色、緑色又は透明色のＬＥＤ光を水面へ照射すれば、低消費電力で効率良く水中を照らすことができる。
【００６９】
（２）　集魚灯は、多数のＬＥＤ９１を用いて防水構造にしているので、海水や雨滴等による内部の錆や、波の振動等による電気回路の故障を防止できる。
【００７０】
（３）　防水ケース７０内にファン８８を設け、キャップ７２で冷却した空気を防水ケース７０内で循環させる構造にしたので、加熱された全ＬＥＤ９１、配線基板８３，８４−１，８５−１，８６−１〜８４−４，８５−４，８６−４、及び電源部８９，９０−１〜９０−４を効率良く冷却することができる。そのため、熱的ダメージによるＬＥＤ９１の破損を防止できる。
【００７１】
（４）　集魚灯内部にＡＣ／ＤＣ変換用の電源部８９，９０−１〜９０−４を設けているので、通常のＡＣ１００Ｖ又はＡＣ２００Ｖ等の電源を使用できる。そのため、既設の白色電球等の灯具に挿着するだけで、簡単に使用でき、使い勝手が良い。
【実施例４】
【００７２】
（構成）
　図９は、本考案の実施例４を示すランプ型船上集魚灯の概略の正面図であり、実施例３を示す図５及び図６中の要素と共通の要素には共通の符号が付されている。
【００７３】
　このランプ型船上集魚灯では、多数のＬＥＤ９１を密に集合して単位面積当たりの発光出力を大きくするために、図５及び図６の中形円盤状の配線基板８５−１〜８５−４、及び小形円盤状の配線基板８６−１〜８６−４に代えて、数の異なる中形円盤状の配線基板８５−１〜８５−７及び小形円盤状の配線基板８６−１が支持部材８１，８２の下部側に小間隔で取り付けられている。各配線基板８５−１〜８５−７，８６−１の裏面側の周縁には、所定間隔でＬＥＤ９１が取り付けられ、これらのＬＥＤ９１を駆動するための電源部９０−１〜９０−４が、支持部材８１，８２の上部側に取り付けられている。
【００７４】
　各配線基板８５−１〜８５−７，８６−１間の間隔は小さいので、図５及び図６の遮蔽筒９４が取り除かれている。又、キャップ７２の下部側の長さを長くし、支持部材８１，８２の上部側に取り付けられた電源部９０−１〜９０−４が、該キャップ７２の下部側により外部から遮蔽されている。その他の構成は、図５及び図６とほぼ同様である。
（動作・効果）
【００７５】
　本実施例４の集魚灯では、実施例３とほぼ同様に動作する。特に、本実施例４では、多数のＬＥＤ９１を密に集合しているので、単位面積当たりの発光出力が大きくなる。しかも、キャップ７２の下部側の長さを長くしているので、内部空気の放熱面積が大きくなり、防水ケース７０内の冷却効率が向上する。
【実施例５】
【００７６】
（構成）
　図１０は、本考案の実施例５を示すランプ型船上集魚灯の概略の正面図であり、実施例３を示す図６中の要素と共通の要素には共通の符号が付されている。
【００７７】
　このランプ型船上集魚灯では、例えば、バルブ７１の上端開口部７１ｂが大形円盤状の配線基板８３により閉塞されている。配線基板８３の中央には、空気循環用開口部８３ｃが形成される共に、この開口部８３ｃの外側に、対向する一対の空気循環用開口部８３ａ，８３ｂが形成されている。開口部８３ｃの上部にはファン８８が取り付けられ、該開口部８３ｃの下部に、バルブ７１の中心軸に沿って風路用の筒状支持部材９６が取り付けられている。
【００７８】
　支持部材９６の周りには、上部から下部にかけて所定間隔で中形円盤状の配線基板８５−１〜８５−５及び小形円盤状の配線基板８６−１が固定されている。各配線基板８５−１〜８５−５，８６−１の裏面側の周縁には、所定間隔でＬＥＤ９１が取り付けられている。各配線基板８５−１〜８５−５の周縁とバルブ７１の内壁面との間には、風路用の間隙部８７が形成されると共に、下段の配線基板８６−１とバルブ７１の蓋部材７１ａとの間にも、風路用の間隙部９５が形成されている。ファン８８を駆動するための電源部８９、及び各段のＬＥＤ９１を駆動するための電源部９０−１〜９０−４，・・・は、キャップ７２内に設けられている。なお、電源部９０−１〜９０−４，・・・は、各配線基板８３，８５−１〜８５−５，８６−１間に取り付けても良い。その他の構成は、図６とほぼ同様である。
（動作・効果）
【００７９】
　本実施例５の集魚灯では、口金７３にＡＣ１００Ｖ又はＡＣ２００Ｖを供給すると、全ＬＥＤ９１が点灯すると共に、ファン８８が回転する。ファン８８が回転すると、キャップ７２で冷却された空気が、ファン８８→配線基板８３の中央の開口部８３ｃ→筒状の支持部材９６内→支持部材９６の下方の間隙部９５→支持部材９６の外周の間隙部８７→配線基板８３の開口部８３ａ，８３ｂ→キャップ７２、という風路で循環する。これにより、加熱した全ＬＥＤ９１、及び配線基板８３，８５−１〜８５−５，８６−１等が効率良く冷却され、熱的ダメージによるＬＥＤ９１の破壊を防止できる。
【実施例６】
【００８０】
　本考案は、上記実施例１〜５に限定されず、それらを種々変更して実施することができる。他の実施例６としては、例えば、次の（ａ）〜（ｅ）のようなものがある。
【００８１】
（ａ）　図１、図２、図４において、配線基板２０，２０Ａに取り付けられるＬＥＤ２６の外部リード２６ｄ，２６ｅは、自由に曲げることができるので、この外部リード２６ｄ，２６ｅを曲げてＬＥＤ２６の頭部を基板２０，２０Ａの外縁方向に傾けて取り付けても良い。このようにすれば、多数のＬＥＤ２６によって水面を放射状に照射でき、照射範囲を拡大できる。同様に、図５、図９、図１０において、ＬＥＤ９１の取り付け角度を変えることにより、照射範囲を任意に変更できる。
【００８２】
（ｂ）　図１、図４の透明のグローブ１２，１２Ａ、或いは図５、図９、図１０の透明のバルブ７１において、それらの内壁又は外壁に、光拡散用の粗面又は凹凸面を形成しても良い。これにより、多数のＬＥＤ２６，９１から出射される光をその粗面又は凹凸面で拡散でき、光束密度の均一化や照射範囲の拡大等が図れる。
【００８３】
（ｃ）　図１、図４において、集魚灯内に設けられる多数のＬＥＤ２６を、複数の発光色のＬＥＤ（例えば、緑色ＬＥＤ、青色ＬＥＤ及び透明色ＬＥＤ）の組み合わせで構成し、これらの内の同一発光色のＬＥＤをＬＥＤ駆動回路４０−１，・・・で選択的に点灯する構成にしても良い。これにより、水中温度、濁り、深さ等の漁場の環境、或いは魚類の種類等に応じて照射光の色を切り替えることにより、漁獲高の向上を図ることも可能である。その際、透明色ＬＥＤに代えて赤色ＬＥＤを用い、ＬＥＤ駆動回路４０−１，・・・により、光線の三原色を構成する赤色ＬＥＤ、緑色ＬＥＤ及び青色ＬＥＤを異なる光出力で同時に発光させて任意の色の照射光を発生させることも可能である。又、光線の三原色を構成する赤色ＬＥＤ、緑色ＬＥＤ及び青色ＬＥＤに代えて、フルカラーＬＥＤを使用すれば、比較的簡単な構成で任意の色の照射光を発生させることができる。
【００８４】
（ｄ）　図１、図４、図６、図９、図１０において、冷却部を構成する冷却ファン６０、循環ファン５１，５２、ファン８８の取り付け位置は、任意に変更できる。又、防水ケース１０，１０Ａ，７０やＬＥＤ搭載用の配線基板２０，２０Ａ，８５−１〜８５−５，８６−１〜８６−４，・・・等の構造、或いは電源部３０，８９，９０−１〜９０−４の回路構成は、図示以外の構造や回路構成に変更しても良い。例えば、図５、図９、図１０のねじ込み型口金７３は、差し込み型口金にしても良い。
【００８５】
（ｅ）　実施例１〜５では、船上集魚灯について説明したが、水圧を考慮した防水構造を施すことにより、水中集魚灯にも適用できる。
【産業上の利用可能性】
【００８６】
　実施例１〜６では、船上集魚灯や水中集魚灯について説明したが、防水ケース１０，１０Ａ，７０等の構造を変えることにより、舶用船内照明灯（例えば、卓上灯、天井灯、通路灯、隔壁灯、寝台灯、非常灯、投光器等）や、或いは通常の照明灯等として使用することもできる。
【図面の簡単な説明】
【００８７】
【図１】本考案の実施例１を示すパネル型船上集魚灯の概略の構成図である。
【図２】図１のＬＥＤを示す概略の拡大構成図である。
【図３】図１の電源部を示す概略の構成図である。
【図４】本考案の実施例２を示すパネル型船上集魚灯の概略の構成図である。
【図５】本考案の実施例３を示すランプ型船上集魚灯の概略の正面図である。
【図６】図５のランプ型船上集魚灯を示す縦断面図である。
【図７】図６の配線基板の平面図である。
【図８】図６の電源部の構成例を示す回路図である。
【図９】本考案の実施例４を示すランプ型船上集魚灯の概略の正面図である。
【図１０】本考案の実施例５を示すランプ型船上集魚灯の概略の正面図である。
【符号の説明】
【００８８】
　１０，１０Ａ，７０　　　　　　　　防水ケース
　１１，１１Ａ　　　　　　　　　　　ケース本体
　１２，１２Ａ　　　　　　　　　　　グローブ
　２０，２０Ａ，８３，８４−１〜８４−４，８５−１〜８５−７，８６−１〜８６−４　　　　　　　　　　　　　　　　　　配線基板
　２６，９１　　　　　　　　　　　　ＬＥＤ
　３０，８９，９０−１〜９０−４　　電源部
　５１，５２　　　　　　　　　　　　循環ファン
　６０　　　　　　　　　　　　　　　冷却ファン
　６６　　　　　　　　　　　　　　　放熱板
　７１　　　　　　　　　　　　　　　バルブ
　７２　　　　　　　　　　　　　　　キャップ
　７３　　　　　　　　　　　　　　　口金
　８７，９５　　　　　　　　　　　　間隙部
　８８　　　　　　　　　　　　　　　ファン
【図１】
0003099741.tif 000003
【図２】
0003099741.tif 000004
【図３】
0003099741.tif 000005
【図４】
0003099741.tif 000006
【図５】
0003099741.tif 000007
【図６】
0003099741.tif 000008
【図７】
0003099741.tif 000009
【図８】
0003099741.tif 000010
【図９】
0003099741.tif 000011
【図１０】
0003099741.tif 000012